(57)【要約】【課題】この発明は、種々のサイズの錠剤に適用でき、軽くてコンパクトな錠剤押出具を提供する。【解決手段】  パック入の錠剤を押出すための錠剤押出具であって、この錠剤押出具は細長い外形を有する板状の基板と、この基板に設けられた錠剤押出孔とから構成され、この錠剤押出孔は小径の小径孔と、この小径孔の径より大きい径を有する大径の大径孔と、この小径孔と大径孔とを連結する連結孔とから構成されることを特徴とする錠剤押出具。【選択図】図１
2018134368.tif 000002
【特許請求の範囲】
【請求項１】
パック入の錠剤を押出すための錠剤押出具であって、この錠剤押出具は細長い外形を有する板状の基板と、この基板に設けられた錠剤押出孔とから構成され、この錠剤押出孔は小径の小径孔と、この小径孔の径より大きい径を有する大径の大径孔と、この小径孔と大径孔とを連結する連結孔とから構成されることを特徴とする錠剤押出具。
【請求項２】
請求項１の錠剤押出具の錠剤押出孔の内側には、内側方向に向かう複数の突起を設けたことを特徴とする錠剤押出具。
【請求項３】
請求項１又は請求項２の錠剤押出具の錠剤押出孔の内側の端面の上端を鋭角としたことを特徴とする錠剤押出具。
【請求項４】
請求項１乃至請求項３の何れかの錠剤取出具の基板をオフセットさせたことを特徴とする錠剤押出具。
【発明の詳細な説明】
【技術分野】
【０００１】  この発明は、手指の力の弱い人や障害者でも薬の錠剤をパックから容易に取り出せるようにした錠剤押出具に関する。
【背景技術】
【０００２】  従来、パック入りの錠剤を取り出すときは、錠剤パックの上から指で錠剤を押して封止シールを破り錠剤を取り出していた。この操作は若い健常者には何でもないが、手指の力の弱い高齢者や障害者には困難であった。
【先行技術文献】
【特許文献】
【０００３】
【特許文献１】特開２０１４−１７１８４７
【特許文献２】特開２０１５−１２０５２７
【発明の概要】
【発明が解決しようとする課題】
【０００４】  この為、特許文献１、特許文献２の技術が開示されていたが、これらは略直方体状のケースを有し、器具が大かかりであり重くて嵩張るので高齢者が日常使用するには不便であった。特に外出先に持ち出すには、実用的でなかった。
又、一般的に錠剤は、大小種々の形状を有しているが、これらの従来技術では、大きい錠剤用の錠剤押出具では小さい錠剤に適用が難しく、小さい錠剤用の押出具では大きい錠剤に適用できない場合があった。この問題は錠剤を一個ずつバラバラにしたとき顕著であった。
【課題を解決するための手段】
【０００５】  パック入の錠剤を押出すための錠剤押出具であって、この錠剤押出具は細長い外形を有する板状の基板と、この基板に設けられた錠剤押出孔とから構成され、この錠剤押出孔は小径の小径孔と、この小径孔の径より大きい径を有する大径の大径孔と、この小径孔と大径孔とを連結する連結孔とから構成されることを特徴とする錠剤押出具。
【発明の効果】
【０００６】  この発明により上記の問題点を解決し、種々のサイズの錠剤に適用でき、軽くてコンパクトな錠剤押出具を提供できる。
【図面の簡単な説明】
【０００７】
【図１】第一の実施例の錠剤押出具の平面図とＡＡ断面図である。
【図２】第一の実施例の錠剤押出具の六面図である。背面図は正面図と同一に表れる。右側面図は左側面図と同一に表れる。
【図３】第二の実施例の錠剤押出具の平面図と正面図である。
【図４】第三の実施例の錠剤押出具の平面図である。
【図５】錠剤押出具の使用方法を示す平面図である。
【図６】錠剤押出具の使用方法を示す平面図である。
【図７】錠剤押出具の使用方法を示す断面図である。
【発明を実施するための形態】
【０００８】  パック入の錠剤を押出すための錠剤押出具であって、この錠剤押出具は細長い外形を有する板状の基板と、この基板に設けられた錠剤押出孔とから構成され、この錠剤押出孔は小径の小径孔と、この小径孔の径より大きい径を有する大径の大径孔と、この小径孔と大径孔とを連結する連結孔とから構成されることを特徴とする錠剤押出具。
【０００９】  上記の錠剤押出具の錠剤押出孔の内側には、内側方向に向かう多数の突起を設けたことを特徴とする錠剤押出具。
上記の錠剤押出具の錠剤押出孔の内側の端面の上端を鋭角としたことを特徴とする錠剤押出具。
上記の錠剤取出具の基板をオフセットさせたことを特徴とする錠剤押出具。
【実施例】
【００１０】  図１、図２により第一の実施例を説明する。パック入の錠剤を押出すための錠剤押出具１０は細長い外形を有する板状の基板２０と、基板２０に設けられた錠剤押出孔３０とから構成されている。基板２０は、プラスチックや金属の平板で、外形を長円形に形成されている。【００１１】  錠剤押出孔３０は、小径の小径孔３１と、小径孔３１の径より大きい径を有する大径の大径孔３３と、小径孔３１と大径孔３３とを連結する連結孔３２とから構成されている。小径孔３１の直径は最小の錠剤の直径よりやや大きい大きさとし、大径孔３３の直径は最大の錠剤の直径よりやや大きくしてある。【００１２】  拡大孔３２の輪郭は、小径孔３１と大径孔３３に接する接線としてあり、小径孔３１から大径孔３３に向かって拡大している。押出孔３０の内側の端面の上端は鋭角として、封止シール３３をカットし易くしている（図７参照）。さらに、拡大孔３２の内側には、基板２０の面内で内側方向に向かう多数の突起を設けてあり、封止シール３３をカットし易くし、かつ、指を傷付けないようにしている。【００１３】  図３により第二の実施例を説明する。この実施例では、基板２０を湾曲しオフセットさせ、テーブル上に置いたとき、密着することなく、取り上げ易くしている。さらに、目印４１を設けて、錠剤パック５０の置き位置を分かり易くしている。【００１４】  図４は第三の実施例であり、錠剤押出孔３０の内側の全体に渡って、突起を設けてあり、封止シール５３をよりカットし易くしている。【００１５】  図５、図６、図７は、錠剤押出具１０の使用方法を説明した図である。図５は円盤状の錠剤用であり、図６はカプセル状の錠剤用であり、図７は断面図である。錠剤押出具１０は、錠剤押出孔３０の端面が鋭角になっている方を上面にし、その上に封止シール５３を下にして錠剤パック５０を置き、ブリスター５１を指６０で押して、封止シール５３をカットし、錠剤５２を下方に押出す。【００１６】  このように、この発明の錠剤押出具１０は、任意のサイズの錠剤を好適な位置で押出すことができる従来にない利点がある。【００１７】  さらに、この発明の錠剤押出具１０は、嵩張らずシンプルな形状をしているので、サイフやカードケース、薬袋に入れても邪魔にならない利点がある。また、取付孔４０には、携帯電話のストラップやキーホルダー等を取り付けて、紛失防止の役に立てることもできる。
【産業上の利用可能性】
【００１８】  この発明は高齢者や障害者が錠剤を容易に取り出すのに役立つ錠剤押出具に利用することができる。
【符号の説明】
【００１９】１０は錠剤押出具
２０は基板
３０は錠剤押出孔
３１は小径孔
３２は拡大孔
３３は大径孔
４０は取付孔
４１は目印
５０は錠剤パック
５１はブリスター
５２は錠剤
５３は封止シール
６０は指
【図１】
2018134368.tif 000003
【図２】
2018134368.tif 000004
【図３】
2018134368.tif 000005
【図４】
2018134368.tif 000006
【図５】
2018134368.tif 000007
【図６】
2018134368.tif 000008
【図７】
2018134368.tif 000009